(57)【要約】      （修正有）【課題】大電流を流して急速充電ができるコネクタ構造を提供する。【解決手段】プラグ構造を含むコネクタ構造であって、プラグ構造は、基部１１１と基部が前に向かって延伸して形成し、その上に基部まで貫通する電源端子溝１１３が設けられ、且つ、その外壁面から外方へ少なくとも１個の第１突出部１１８が突出する舌部１１２とを備える絶縁本体１１と、絶縁本体の電源端子溝内に挿設される少なくとも１個の第１電源端子１２と少なくとも１個の第２電源端子１３と、絶縁本体の舌部の外を被覆する金属筐体１４と、を含む。信号端子を充電端子として利用する。【選択図】図２
0003187262.tif 000002
【実用新案登録請求の範囲】
【請求項１】
プラグ構造を備え、前記プラグ構造は、
基部と前記基部が前に向かって延伸して形成し、その上に前記基部まで貫通する電源端子溝が設けられる舌部とを備える絶縁本体と、
第１端子基部と複数の第１端子差込部とを備え、前記第１端子基部の一側が前記第１端子差込部に延伸し、前記第１端子差込部が前記絶縁本体の前記電源端子溝内に挿設され、前記第１端子基部の幅は前記第１端子差込部の幅の総和より大きいか又は等しい少なくとも１個の第１電源端子と、
第２端子基部と複数の第２端子差込部とを備え、前記第２端子基部の一側が前記第２端子差込部に延伸し、前記第２端子差込部が前記絶縁本体の前記電源端子溝内に挿設され、前記第２端子基部の幅は前記第２端子差込部の幅の総和より大きいか又は等しい少なくとも１個の第２電源端子と、
前記絶縁本体の舌部の外を被覆する金属筐体と、を含むことを特徴とする、
コネクタ構造。
【請求項２】
前記絶縁本体は、互いに構設する第１本体と第２本体とを含むことを特徴とする請求項１に記載のコネクタ構造。
【請求項３】
前記第２本体の外壁面は係止突起と少なくとも１個の凸リブとを含み、前記第１本体の内壁面が前記係止突起を係合するための係止溝を含むことを特徴とする請求項２に記載のコネクタ構造。
【請求項４】
前記絶縁本体の外壁面は係止部を含み、前記金属筐体が前記係止部を係合するための係止環を含むことを特徴とする請求項１に記載のコネクタ構造。
【請求項５】
前記舌部の外壁面から外方へ向かって少なくとも１個の第１突出部が突出することを特徴とする請求項１に記載のコネクタ構造。
【請求項６】
前記絶縁本体内に複数の係着具が挿設されることを特徴とする請求項１に記載のコネクタ構造。
【請求項７】
前記係着具は固定部を備え、前記固定部が前に向かって延伸して弾性アームを形成し、前記弾性アームの末端が上に向かって延伸して係合部を形成し、前記固定部は頂部が後ろに向かって延伸して形成した第１固定アームと底部が後ろに向かって延伸して形成した第２固定アームと底部が前に向かって延伸して形成した第３固定アームと、を含むことを特徴とする請求項６に記載のコネクタ構造。
【請求項８】
該プラグ構造の接続に供することができ、その上に接続端子溝が設けられる接続本体と、前記絶縁本体の前記接続端子溝内に挿設される複数の接続端子と前記接続本体の外を被覆し、壁面から外方へ向かって前記第１突出部に対応する少なくとも１個の第２突出部が突出した金属接続筐体と、を備えるソケット構造を更に含むことを特徴とする請求項１に記載のコネクタ構造。
【請求項９】
前記金属接続筐体の側周縁部は、前記接続本体を前記金属接続筐体内に固定するための少なくとも１個のリベットポイントを含むことを特徴とする請求項８に記載のコネクタ構造。
【請求項１０】
前記金属接続筐体の壁面から内方へ向かって少なくとも１個の凹部が凹設され、前記接続本体が前記凹部を係合する少なくとも１個の凹溝を備えることを特徴とする請求項８に記載のコネクタ構造。
【考案の詳細な説明】
【技術分野】
【０００１】
本考案は、コネクタ構造に関し、特に、信号端子を充電端子として利用することで、大電流を流して急速充電の目的を達成できるコネクタプラグ構造に関する。
【背景技術】
【０００２】
ユニバーサルシリアルバス（ＵｎｉｖｅｒｓａｌＳｅｒｉａｌＢｕｓ、ＵＳＢ）コネクタは、通称ＵＳＢコネクタといわれ、プラグアンドプレイ、高速伝送等の特性を持つため、すでに幅広く各場所の信号伝送に運用されているが、ＵＳＢコネクタの発展に伴い、人々には伝送速度、安定性に対し更に多くの要求がある。
【０００３】
現在市場において、ＵＳＢ２．０が伝送インターフェースとして一般的に応用され、デジタルメディアが日増しに普及し、伝送データが絶え間なく拡大するのに伴い、ＵＳＢ２．０が市場の需要を満たすことができなくなってきた。
ＵＳＢ３．０は下位互換性を持ち、且つ従来のＵＳＢ技術の使いやすさとプラグアンドプレイの機能を兼ね備え、該技術が現在の接続レベルより１０倍以上速いという製品を目指し、現有のＵＳＢと同じ仕組みを用いて、ＵＳＢを最適化することで更に低い消費電力及び更に高いプロトコルの効率を実現する以外に、将来光ファイバ伝送に対応し、ＵＳＢ２．０の伝送速度４８０Ｍｂｐｓに比べ、ＵＳＢ３．０の伝送速度が５Ｇｂｐｓに達することができる。
【０００４】
ポータブル電子機器が軽薄短小化の流れに向かって発展してきたことに伴い、更に多くのＵＳＢコネクタ規格が発表されており、例えばＭｉｃｒｏ−ＵＳＢコネクタ規格がある。
当該規格はポータブル電子機器においてＭｉｎｉ−ＵＳＢの代替となり、Ｍｉｃｒｏ−ＵＳＢコネクタは従来のＭｉｎｉ−ＵＳＢコネクタよりコンパクトなサイズとなり、その高さが半減し、幅がほぼ同じで、すでにポータブル電子機器のデータ伝送及び充電の標準インターフェースになっている。
【０００５】
ユーザは、Ｍｉｃｒｏ−ＵＳＢコネクタをポータブル電子機器のデータ伝送インターフェース或いは充電用途として利用できる。しかしながら現有のＭｉｃｒｏ−ＵＳＢコネクタが耐えられる電流は小さいため、ポータブル電子機器への充電速度が遅く、改良の必要性があった。
【０００６】
よって、如何にして上記従来技術の問題と欠陥を解決するかは、本考案の考案者及び当業者の改良研究課題となっていた。
【考案の概要】
【考案が解決しようとする課題】
【０００７】
そこで、本考案の考案者は、上記欠陥に鑑み、関連の資料を収集して多方面の評価と考慮を経て、この産業に従事して蓄積した長年の経験で、絶え間なく試作及び改修を通じてこの考案を設計した。
【０００８】
本考案は、信号端子を充電端子として利用することで、大電流を流して急速充電の目的を達成できるコネクタプラグ構造を提供することを主な目的とする。
【課題を解決するための手段】
【０００９】
上記目的を達成するため、本考案に係るコネクタ構造はプラグ構造を備え、該プラグ構造は、基部と該基部が前に向かって延伸して形成し、その上に該基部まで貫通する電源端子溝が設けられる舌部とを備える絶縁本体と、第１端子基部と複数の第１端子差込部とを備え、該第１端子基部の一側がこれら第１端子差込部に延伸し、これら第１端子差込部が該絶縁本体の該電源端子溝内に挿設され、該第１端子基部の幅はこれら第１端子差込部の幅の総和より大きいか又は等しい少なくとも１個の第１電源端子と、第２端子基部と複数の第２端子差込部とを備え、該第２端子基部の一側がこれら第２端子差込部に延伸し、これら第２端子差込部が該絶縁本体の該電源端子溝内に挿設され、該第２端子基部の幅はこれら第２端子差込部の幅の総和より大きいか又は等しい少なくとも１個の第２電源端子と、該絶縁本体の舌部の外を被覆する金属筐体と、を含む。
【００１０】
好ましい実施例において、該絶縁本体は互いに構設する第１本体と第２本体とを含む。
【００１１】
好ましい実施例において、該第２本体の外壁面は係止突起と少なくとも１個の凸リブとを含み、該第１本体の内壁面が該係止突起を係合するための係止溝を含む。
【００１２】
好ましい実施例において、該絶縁本体の外壁面は係止部を含み、該金属筐体が該係止部を係合するための係止環を含む。
【００１３】
好ましい実施例において、舌部の外壁面から外方へ向かって少なくとも１個の第１突出部が突出し、該第１突出部を２個設け、且つ該舌部の左右両側に各々設けられる。
【００１４】
好ましい実施例において、該絶縁本体内に複数の係着具が挿設される。
【００１５】
好ましい実施例において、該係着具は固定部を備え、該固定部が前に向かって延伸して弾性アームを形成し、該弾性アームの末端が上に向かって延伸して係合部を形成する。該固定部は頂部が後ろに向かって延伸して形成した第１固定アームと底部が後ろに向かって延伸して形成した第２固定アームと底部が前に向かって延伸して形成した第３固定アームとを含む。
【００１６】
好ましい実施例において、該プラグ構造の接続に供することができるソケット構造を更に含み、該ソケット構造は、その上に接続端子溝が設けられる接続本体と、該絶縁本体の該接続端子溝内に挿設される複数の接続端子と該接続本体の外を被覆し、壁面から外方へ向かって該第１突出部に対応する少なくとも１個の第２突出部が突出した金属接続筐体と、を備える。
【００１７】
好ましい実施例において、該金属接続筐体の側周縁部は該接続本体を該金属接続筐体内に固定するための少なくとも１個のリベットポイントを含む。
【００１８】
好ましい実施例において、該金属接続筐体の壁面から内方へ向かって少なくとも１個の凹部が凹設され、該接続本体が該凹部を係合する少なくとも１個の凹溝を備える。
【００１９】
本考案に係るプラグ構造は、少なくとも１個の第１電源端子と少なくとも１個の第２電源端子とを含み、該第１電源端子と該第２電源端子が該絶縁本体の該電源端子溝内に挿設される。この構造を通じて従来技術内のＭｉｃｒｏ−ＵＳＢコネクタの充電速度が遅いという問題を改良した。本考案は信号端子を充電端子として利用することで、大電流を流して急速充電の目的を達成できるプラグ構造である。
【００２０】
また、本考案に係るプラグ構造の絶縁本体は、舌部を備え、該舌部の外壁面から外方へ向かって少なくとも１個の第１突出部が突出する。この構造を介して本考案に係るプラグ構造が従来技術のＭｉｃｒｏ−ＵＳＢコネクタソケット構造に誤挿入されることを防止でき、市販のソケット構造にとってフールプルーフ機能を有する。
このほかに、本考案は、プラグ構造の接続に供することができるソケット構造を更に含み、該ソケット構造の金属接続筐体の壁面から外方へ向かって該第１突出部に対応する少なくとも１個の第２突出部が突出することで、本考案に係るプラグ構造の接続に供することができる。
【図面の簡単な説明】
【００２１】
【図１】本考案の好ましい実施例の立体図である。
【図２】本考案に係るプラグ構造の各構成要素の好ましい実施例の立体分解説明図一である。
【図３】本考案に係るプラグ構造の各構成要素を別の角度から見た好ましい実施例の立体分解説明図二である。
【図４】本考案に係るプラグ構造を前から見た好ましい実施例の前面説明図である
【図５】本考案の好ましい実施例を示す図一で、本考案に係るプラグ構造に接続できるソケット構造立体説明図である。
【図６】本考案の好ましい実施例を示す図二で、本考案に係るプラグ構造に接続できるソケット構造の各構成要素の立体分解説明図である。
【図７】本考案の好ましい実施例を示す図三で、本考案に係るプラグ構造に接続できるソケット構造の各構成要素を別の角度から見た立体分解説明図である。
【図８】本考案の好ましい実施例を示す図四で、本考案に係るプラグ構造に接続できるソケット構造を前から見た前面図である。
【図９】本考案の好ましい実施例を示す図五で、本考案に係るプラグ構造に接続できるソケット構造を後ろから見た背面図である。
【考案を実施するための形態】
【００２２】
以下、上記目的及び効果を達成するため本考案が採用する技術手段及び構造を更に明確に分かりやすくするため、好ましい実施例の特徴と機能を添付図面に基づいて説明する。
【００２３】
図１乃至図４を参照しながら説明する。図１乃至図４は、本考案の好ましい実施例の立体図、立体分解図一、立体分解図二及び前面図であり、図から本考案のコネクタ構造は、絶縁本体１１と少なくとも１個の第１電源端子１２と少なくとも１個の第２電源端子１３と金属筐体１４とを含むプラグ構造１を備えることが明確に分かる。好ましくは、本考案に係るコネクタ構造はＭｉｃｒｏ−ＵＳＢコネクタ構造とする。
【００２４】
該絶縁本体１１は、基部１１１と該基部１１１が前に向かって延伸して形成する舌部１１２とを含み、該舌部１１２の上に該基部１１１まで貫通する電源端子溝１１３が設けられ、且つ該舌部１１２の外壁面から外方へ少なくとも１個の第１突出部１１８が突出する。
本実施例において図４から分かるように該第１突出部１１８が２個設けられ、且つ該舌部１１２の左右両側に設けられる。該絶縁本体１１の外壁面は係止部１１４を備え、且つ該絶縁本体１１が互いに構設する第１本体１１６と第２本体１１７とを含む。該第２本体１１７の外壁面が係止突起１１７１と少なくとも１個の凸リブ１１７２とを備え、該第１本体１１６の内壁面が該係止突起１１７１の係合に供する係止溝１１６１を備える。該第２本体１１７は、該係止突起１１７１を通じて該係止溝１１６１内に係合すると共に該凸リブ１１７２が該第１本体１１６に付勢することで、互いに構設並びに固定する。
【００２５】
本実施例において、該絶縁本体１１内に複数の係着具１１５が挿設される。該係着具１１５は固定部１１５１を備え、該固定部１１５１が前に向かって延伸して弾性アーム１１５５を形成し、該弾性アーム１１５５の末端が上に向かって延伸して係合部１１５６を形成する。
該固定部１１５１は頂部が後ろに向かって延伸して形成した第１固定アーム１１５２と底部が後ろに向かって延伸して形成した第２固定アーム１１５３と底部が前に向かって延伸して形成した第３固定アーム１１５４とを含む。該第１固定アーム１１５２と第２固定アーム１１５３と第３固定アーム１１５４の設置を介して該係着具１１５の該絶縁本体１１内における高い保持力を増大できる。
【００２６】
該少なくとも１個の第１電源端子１２と該少なくとも１個の第２電源端子１３が該絶縁本体１１の該電源端子溝１１３内に挿設される。少なくとも１個の第１電源端子１２は、第１端子基部１２２と複数の第１端子差込部１２３とを備え、該第１端子基部１２２の一側がこれら第１端子差込部１２３に延伸し、これら第１端子差込部１２３が該絶縁本体１１の該電源端子溝１１３内に挿設され、該第１端子基部１２２の幅はこれら第１端子差込部１２３の幅の総和より大きいか又は等しくする。
少なくとも１個の第２電源端子１３は、第２端子基部１３１と複数の第２端子差込部１３２とを備え、該第２端子基部１３１の一側がこれら第２端子差込部１３２に延伸し、これら第２端子差込部１３２が該絶縁本体１１の該電源端子溝１１３内に挿設され、該第２端子基部１３１の幅はこれら第２端子差込部１３２の幅の総和より大きいか又は等しくする。
本実施例において、該第１電源端子１２と該第２電源端子１３の間が端子１２１を更に含み、好ましくは該第１電源端子１２と該第２電源端子１３と該端子１２１とが嵌め込み工程で該絶縁本体１１の第２本体１１７に設けられる。
【００２７】
該金属筐体１４は該絶縁本体１１の舌部１１２の外を被覆する。本実施例において該金属筐体１４は、該絶縁本体１１の係止部１１４の係合に供する係止環１４１を含み、これを介して互いに固定する。
【００２８】
図５乃至図９を参照しながら説明する。図５乃至図９は、本考案の好ましい実施例を示す図一乃至五である。本考案は該プラグ構造１の接続に供することができるソケット構造２を更に含む。該ソケット構造２は、接続本体２１と複数の接続端子２２と金属接続筐体２３とを含む。
【００２９】
該接続本体２１に接続端子溝２１１が設けられる。
【００３０】
該複数の接続端子２２が該絶縁本体１１の該接続端子溝２１１内に挿設される。
【００３１】
金属接続筐体２３は、該接続本体２１の外を被覆し、壁面から外方へ向かって該第１突出部１１８に対応する少なくとも１個の第２突出部２３３が突出する。
本実施例において、図９に示すように該金属接続筐体２３の側周縁部は該接続本体２１を該金属接続筐体２３内に固定するための少なくとも１個のリベットポイント２３１を含む。プラグ構造１が該ソケット構造２に接続した時、該接続本体２１が該金属接続筐体２３から押し出されることを避け、且つ該金属接続筐体２３の壁面から内方へ少なくとも１個の凹部２３２が凹設される。
該接続本体２１は該凹部２３２を係合するための少なくとも１個の凹溝２１２を備え、これを介して該接続本体２１の該金属接続筐体２３内における安定性を保証できる。且つ該金属接続筐体２３が下に向かって折り曲げてピンとすることで該接続本体２１を該金属接続筐体２３内に制限、固定できる。
【００３２】
以下に、全ての添付図面を参照しながら前記構成要素の構成を通じて本考案の動作原理を説明する。
【００３３】
本考案に係るプラグ構造１は、少なくとも１個の第１電源端子１２と少なくとも１個の第２電源端子１３とを含み、該第１電源端子１２と該第２電源端子１３が該絶縁本体１１の該電源端子溝１１３内に挿設され、該第１電源端子１２が従来技術のＭｉｃｒｏ−ＵＳＢコネクタプラグのＰｉｎ１とＰｉｎ２をショートし、該第２電源端子１３が従来技術のＭｉｃｒｏ−ＵＳＢコネクタプラグのＰｉｎ４とＰｉｎ５をショートし、該第１電源端子１２と該第２電源端子１３が電源の通過に供すことができる。
この構造を介して該第１電源端子１２と該第２電源端子１３の体積を増大し、試験を経て２．５Ａの大電流を流してポータブル電子機器に充電し、急速充電の目的を達成できる。このほかに、該端子は、従来技術のＭｉｃｒｏ−ＵＳＢコネクタプラグのＰｉｎ３で、該端子が外部と接続しないため、電気的作用を起こさない。
【００３４】
また、本考案に係るプラグ構造１の絶縁本体１１は、舌部１１２を含み、該舌部１１２の外壁面から外方へ少なくとも１個の第１突出部１１８が突出する。この構造を介して本考案に係るプラグ構造１は、従来技術のＭｉｃｒｏ−ＵＳＢソケット構造に挿入できず、本考案に係るプラグ構造１が従来技術のＭｉｃｒｏ−ＵＳＢソケット構造に誤挿入されることを防止できるため、本考案に係るプラグ構造１が市販のＭｉｃｒｏ−ＵＳＢソケット構造２にとってフールプルーフ機能を持っている。
【００３５】
更に、本考案は該プラグ構造１に接続できるソケット構造２を更に含む。図８に示すように、該ソケット構造２の金属接続筐体２３の壁面から外方へ該第１突出部１１８に対応する少なくとも１個の第２突出部２３３が突出する。
該第２突出部２３３は、該第１突出部１１８に対応して２個設けられ、且つ該金属接続筐体２３の左右両側に設けられる。この構造を介して該ソケット構造２は該プラグ構造１の接続に供すことができ、また該プラグ構造１の係着具１１５の係合部１１５６を通じて該ソケット構造２の金属接続筐体２３に係合し、且つ該ソケット構造２は従来技術のＭｉｃｒｏ−ＵＳＢプラグに互換し、従来技術のＭｉｃｒｏ−ＵＳＢプラグの接続に供することができる。
【００３６】
全ての添付図面に示すように、従来技術に比べて、本考案は、以下の利点を有する。つまり本考案に係るプラグ構造１を本考案に係るソケット構造２に接続して大電力の充電設備とし、急速充電の目的を達成でき、且つ該ソケット構造２が従来技術のＭｉｃｒｏ−ＵＳＢプラグに互換し、製品の競争力を向上できる。
【００３７】
本考案はその目的及び効果においていずれも実施の新規性を有し、産業上、極めて利用価値があり、且つ現在の市場において見たことのない新しい考案で、実用新案権の要件を満たすため、法律に基づいて出願する。
ただし以上に述べるものは本考案のいずれかの好ましい実施例のみであって、本考案の実施範囲に限定されることなく、本考案の登録請求範囲に基づいて行う種々の改良変更は本考案の実用新案登録請求の範囲に含める。
【符号の説明】
【００３８】
１            プラグ構造
１１          絶縁本体
１１１        基部
１１２        舌部
１１３        電源端子溝
１１４        係止部
１１５        係着具
１１５１      固定部
１１５２      第１固定アーム
１１５３      第２固定アーム
１１５４      第３固定アーム
１１５５      弾性アーム
１１５６      係合部
１１６        第１本体
１１６１      係止溝
１１７        第２本体
１１７１      係止突起
１１７２      凸リブ
１１８        第１突出部
１２          第１電源端子
１２１        端子
１２２        第１端子基部
１２３        第１端子差込部
１３          第２電源端子
１３１        第２端子基部
１３２        第２端子差込部
１４          金属筐体
１４１        係止環
２            ソケット構造
２１          接続本体
２１１        接続端子溝
２１２        凹溝
２２          接続端子
２３          金属接続筐体
２３１        リベットポイント
２３２        凹部
２３３        第２突出部
【図１】
0003187262.tif 000003
【図２】
0003187262.tif 000004
【図３】
0003187262.tif 000005
【図４】
0003187262.tif 000006
【図５】
0003187262.tif 000007
【図６】
0003187262.tif 000008
【図７】
0003187262.tif 000009
【図８】
0003187262.tif 000010
【図９】
0003187262.tif 000011